(57)【要約】      （修正有）【課題】組み立て及び電気的接続に便利な巻取式フレキシブル封止アセンブリモジュール及び巻取式フレキシブル太陽光発電ストリップを提供する。【解決手段】巻取式フレキシブル太陽光発電ストリップは複数の巻取式フレキシブル封止アセンブリモジュール８で構成され、巻取式フレキシブル封止アセンブリモジュールは封止布９、ケーブル、フレキシブル太陽電池アセンブリ１０で構成され、アセンブリモジュールの数は２〜１０個である。封止布の表面に細管状収納用内ポケット１１が設置され、細管状収納用内ポケットは全体的なレイアウトが「Ｈ」型を呈し、中央横線部は横列アセンブリの直列接続に用いられ、３つの横列アセンブリは水平直列ケーブルによってアセンブリアウトレットボックスを直列接続し、両側垂直部はバスケーブルハーネスの配置に用いられ、前記巻取式フレキシブル封止アセンブリモジュールの４つの端部に「Ｔ」型バス装置が設計される。【選択図】図１
0003218632.tif 000002
【実用新案登録請求の範囲】
【請求項１】
巻取式フレキシブル封止アセンブリモジュールであって、
封止布、ケーブル及びフレキシブル太陽電池アセンブリを備え、２枚以上のフレキシブル太陽電池アセンブリは１枚の封止布に貼り付けられ、前記フレキシブル太陽電池アセンブリを直列接続することを特徴とする巻取式フレキシブル封止アセンブリモジュール。
【請求項２】
封止布の表面に細管状収納用内ポケットが設置され、それはケーブルを収納することに用いられ、前記細管状収納用内ポケットは全体的なレイアウトが「Ｈ」型を呈し、中央横線部は１つの横列アセンブリの直列接続に用いられ、両側垂直部はバスケーブルハーネスの配置に用いられ、前記巻取式フレキシブル封止アセンブリモジュールの４つの端部に「Ｔ」型バス装置が設計されて接続ポートが予め準備して、接続ポートは２つの巻取式フレキシブル封止アセンブリモジュールの電気的並列接続又は巻取式フレキシブル封止アセンブリモジュールとローラ内部の電気製品装置との電気的接続に用いられることを特徴とする請求項１に記載の巻取式フレキシブル封止アセンブリモジュール。
【請求項３】
「Ｔ」型バス装置はケーブル及びコネクタで構成され、３つの同じコネクタ端子を有し、電気上のスリーウェイ機能を形成し、コネクタは防水シールを用いることを特徴とする請求項１に記載の巻取式フレキシブル封止アセンブリモジュール。
【請求項４】
前記貼り付けはＥＶＡ／ＰＯＥ／ＰＶＢ等の角膜材料で貼り付け、前記耐摩耗性裏地の縁部を折り返して包み効果をもたらし、シーラントでアセンブリの４つの辺を包み、前記封止布は耐摩耗性裏地であることを特徴とする請求項１に記載の巻取式フレキシブル封止アセンブリモジュール。
【請求項５】
巻取式フレキシブル封止アセンブリモジュールにおける封止布の両端に複数のほぞ穴、係止口が設置され、それらは固定、懸架又は複数の切地同士の機械的接続に用いられ、封止布の両端に切地と等幅の細長い棒状の硬質材料が設置され、それは切地を横切って、切地の支持に用いられ、切地が使用中に変形することを防止することを特徴とする請求項１に記載の巻取式フレキシブル封止アセンブリモジュール。
【請求項６】
巻取式フレキシブル太陽光発電ストリップであって、
１つ又は２つ以上の請求項１〜５のいずれか一項に記載の巻取式フレキシブル封止アセンブリモジュールを並列接続してなることを特徴とする巻取式フレキシブル太陽光発電ストリップ。
【請求項７】
複数の巻取式フレキシブル封止アセンブリモジュールは並列接続されて標準列を形成し、一組のバスケーブルを利用し、バスケーブルは標準列数の数量と同じであることを特徴とする請求項５に記載の巻取式フレキシブル太陽光発電ストリップ。
【請求項８】
巻取式フレキシブル太陽光発電ストリップであって、
ローラの直径は５５０ｍｍ以下であることを特徴とする巻取式フレキシブル太陽光発電ストリップ。
【請求項９】
巻取式フレキシブル封止アセンブリモジュールであって、
封止布、ケーブル及び２枚以上のフレキシブル太陽電池アセンブリを備え、前記２枚以上のフレキシブル太陽電池アセンブリは封止布に貼り付けられ、前記ケーブルは前記フレキシブル太陽電池アセンブリに電気的に接続される巻取式フレキシブル封止アセンブリモジュール。
【請求項１０】
前記２枚以上のフレキシブル太陽電池アセンブリは１枚の前記封止布に貼り付けられて、前記ケーブルによって直列接続される請求項９に記載の巻取式フレキシブル封止アセンブリモジュール。
【請求項１１】
前記封止布は縁部を折り返して包み効果をもたらし、前記フレキシブル太陽電池アセンブリの４つの辺はシーラントで包まれている請求項９又は１０に記載の巻取式フレキシブル封止アセンブリモジュール。
【請求項１２】
前記封止布は耐摩耗性裏地である請求項９〜１１のいずれか一項に記載の巻取式フレキシブル封止アセンブリモジュール。
【請求項１３】
前記封止布の両端にほぞ穴、バックル及び硬質材料のうちの一種又は複数種は設置される請求項求９〜１２のいずれか一項に記載の巻取式フレキシブル封止アセンブリモジュール。
【請求項１４】
前記ほぞ穴は複数あり、隣接する巻取式フレキシブル封止アセンブリモジュールにラッピイングされるように設置され、前記バックルは２つの前記巻取式フレキシブル封止アセンブリモジュールを接着接続するように設置され、前記硬質材料は前記封止布と等幅であり、細長い棒状を呈し、前記封止布の両端に設置され、前記封止布を横切る請求項１３に記載の巻取式フレキシブル封止アセンブリモジュール。
【請求項１５】
前記２枚以上のフレキシブル太陽電池アセンブリは前記封止布に横列され、前記ケーブルは前記横列されたフレキシブル太陽電池アセンブリの間の直列ケーブル、及び複数の前記巻取式フレキシブル封止アセンブリモジュールを並列接続するバスケーブルを含む請求項９〜１４のいずれか一項に記載の巻取式フレキシブル封止アセンブリモジュール。
【請求項１６】
前記封止布の表面に細管状収納用内ポケットは設置され、細管状収納用内ポケットは前記ケーブルを収納することに用いられる請求項９〜１５のいずれか一項に記載の巻取式フレキシブル封止アセンブリモジュール。
【請求項１７】
前記細管状収納用内ポケットは全体的なレイアウトが「Ｈ」型を呈し、中央横線部は前記横列されたフレキシブル太陽電池アセンブリの間の直列ケーブルを収納するように設置され、両側垂直部はバスケーブルを配置するように設置される請求項１６に記載の巻取式フレキシブル封止アセンブリモジュール。
【請求項１８】
前記巻取式フレキシブル封止アセンブリモジュールの２つ又は４つの端部に「Ｔ」型バス装置は設置され、前記「Ｔ」型バス装置はコネクタを備え、前記コネクタは２つの前記巻取式フレキシブル封止アセンブリモジュールの電気的並列接続を実現するように設置され、又は前記巻取式フレキシブル封止アセンブリモジュールと電気製品装置との電気的接続を実現するように設置される請求項９〜１７のいずれか一項に記載の巻取式フレキシブル封止アセンブリモジュール。
【請求項１９】
前記「Ｔ」型バス装置は３つのコネクタ及び前記３つのコネクタの間に接続される接続ケーブルを備え、前記３つのコネクタは３つの同じコネクタ端子を有し、電気上のスリーウェイを形成する請求項１８に記載の巻取式フレキシブル封止アセンブリモジュール。
【請求項２０】
巻取式フレキシブル太陽光発電ストリップであって、
複数の請求項９〜１９のいずれか一項に記載の巻取式フレキシブル封止アセンブリモジュールを備え、前記巻取式フレキシブル封止アセンブリモジュール同士は電気的並列接続を形成する巻取式フレキシブル太陽光発電ストリップ。
【請求項２１】
複数の前記巻取式フレキシブル封止アセンブリモジュールは一組のバスケーブルによって並列接続され、標準列を形成し、各組のバスケーブルは１つの最大電力追跡装置に接続されるように設置される請求項２０に記載の巻取式フレキシブル太陽光発電ストリップ。
【考案の詳細な説明】
【技術分野】
【０００１】
本考案は、太陽光発電技術分野に関するが、それらに限らず、具体的に巻取式フレキシブル封止アセンブリモジュール及び巻取式フレキシブル太陽光発電ストリップに関する。
【背景技術】
【０００２】
現代社会では主に鉱物エネルギーに依存し、世界の総エネルギー消費量の７４％は石炭、石油、天然ガス等の鉱物エネルギーに由来する。化石エネルギーの応用は社会の発展を促進するが、資源が日増しに消耗し尽くしていく。同時に化石エネルギーを無制限に使用することは、深刻な環境汚染及び気候変動問題を引き起こしてしまう。世界中の国々は次々に再生可能エネルギー及び新エネルギーの発展を将来のエネルギー戦略の重要な構成部分とするが、太陽エネルギーはその中の重要な開発目標の１つである。
【０００３】
それと同時に、人々は太陽電池、特に薄膜等のフレキシブル太陽電池の急速な発展から該問題を解決する希望を見たが、現在、市場には既に対応する製品、例えば太陽充電用紙、太陽充電パック等が出現した。しかしながら、これらの充電装置は短時間の緊急使用のみに適して、太陽光発電が安定せず、大型又は中型電気製品への給電に適しない。
【０００４】
フレキシブル太陽電池パネルの出現に伴い、人々も多くの携帯型太陽光充電装置を開発したが、これらの太陽光充電装置は多くの欠点を有し、例えば利用可能な太陽電池パネルの面積が小さすぎ、又は持ち込みに便利ではない。例えば一般的な電池パック構造は二枚の基板を備え、基板同士がヒンジ接続され、基板に太陽電池が設置され、太陽電池に更にルーフカバーが設置され、このような電池パックを左右に折り畳むことができるが、このような電池パック基板が硬質材料で製造され、一般的に簡単に折り畳むしかできず、折り畳んでから面積が依然として大きくて、電池パックの厚さも厚く、持ち込みに便利ではなく、且つ収納可能な電池アセンブリの電力も低い。
【考案の概要】
【考案が解決しようとする課題】
【０００５】
以下は本考案を詳しく説明した主題の概説である。本概説は特許請求の保護範囲を制限するためのものではない。
【課題を解決するための手段】
【０００６】
本考案は巻取式フレキシブル封止アセンブリモジュール及び巻取式フレキシブル太陽光発電ストリップを提供し、高電力、大面積巻軸発電に適し、組み立て及び電気的接続に便利である。
【０００７】
本考案の実施例は巻取式フレキシブル封止アセンブリモジュールを開示し、封止布、ケーブル及びフレキシブル太陽電池アセンブリを備え、２枚以上のフレキシブル太陽電池アセンブリは１枚の封止布に貼り付けられ、前記フレキシブル太陽電池アセンブリはケーブルによって直列接続される。
【０００８】
更に、封止布の表面に細管状収納用内ポケットが設置され、それはケーブルを収納することに用いられ、前記細管状収納用内ポケットは全体的なレイアウトが「Ｈ」型を呈し、中央横線部は１つの横列アセンブリの直列接続に用いられ、両側垂直部はバスケーブルハーネスの配置に用いられ、前記巻取式フレキシブル封止アセンブリモジュールは、４つの端部に「Ｔ」型バス装置が設計されて、接続ポートが予め準備して、それは２つの巻取式フレキシブル封止アセンブリモジュールの電気的並列接続、又は巻取式フレキシブル封止アセンブリモジュールとローラ内部の電気製品装置との電気的接続に用いられる。
【０００９】
更に、「Ｔ」型バス装置はケーブル及びコネクタで構成され、３つの同じコネクタ端子を有し、電気上のスリーウェイ機能を形成し、コネクタは防水シールを用いる。
【００１０】
更に、前記貼り付けはＥＶＡ／ＰＯＥ／ＰＶＢ等の角膜材料で貼り付け、前記耐摩耗性裏地の縁部を折り返して包み効果をもたらし、シーラントでアセンブリの４つの辺を包み、前記封止布は耐摩耗性裏地である。
【００１１】
更に、巻取式フレキシブル封止アセンブリモジュールにおける封止布の両端に複数のほぞ穴、係止口が設置され、それらは固定、懸架又は複数の切地同士の機械的接続に用いられ、封止布の両端に切地と等幅の細長い棒状の硬質材料が設置され、それは切地を横切って、切地の支持に用いられ、切地が使用中に変形することを防止する。
【００１２】
更に、巻取式フレキシブル太陽光発電ストリップを提供し、１つ又は２つの上記巻取式フレキシブル封止アセンブリモジュールを並列接続してなる。
【００１３】
更に、複数の巻取式フレキシブル封止アセンブリモジュールは並列接続されて標準列を形成し、一組のバスケーブルを利用し、それは標準列数の数量と同じである。
【００１４】
更に、前記ローラの直径は５５０ｍｍ以下である。
【００１５】
本考案の実施例は更に巻取式フレキシブル封止アセンブリモジュールを開示し、封止布、ケーブル及び２枚以上のフレキシブル太陽電池アセンブリを備え、前記２枚以上のフレキシブル太陽電池アセンブリは封止布に貼り付けられ、前記ケーブルは前記フレキシブル太陽電池アセンブリに電気的に接続される。
【００１６】
例示的な一実施例において、前記２枚以上のフレキシブル太陽電池アセンブリは１枚の前記封止布に貼り付けられて、前記ケーブルによって直列接続される。
【００１７】
例示的な一実施例において、前記貼り付けはＥＶＡエチレン−酢酸ビニル共重合体、ＰＯＥプラスチック又はＰＶＢポリビニルブチラールを用いる。
【００１８】
例示的な一実施例において、前記封止布は縁部を折り返して包み効果をもたらし、前記フレキシブル太陽電池アセンブリの４つの辺がシーラントで包まれている。
【００１９】
例示的な一実施例において、前記封止布は耐摩耗性裏地である。
【００２０】
例示的な一実施例において、前記封止布の両端にほぞ穴、バックル及び硬質材料のうちの一種又は複数種は設置される。
【００２１】
例示的な一実施例において、前記ほぞ穴は複数あり、隣接する巻取式フレキシブル封止アセンブリモジュールにラッピイングされるように設置され、前記バックルは２つの前記巻取式フレキシブル封止アセンブリモジュールを接着接続するように設置され、前記硬質材料は前記封止布と等幅であり、細長い棒状を呈し、前記封止布の両端に設置され、前記封止布を横切る。
【００２２】
例示的な一実施例において、前記２枚以上のフレキシブル太陽電池アセンブリは前記封止布に横列され、前記ケーブルは前記横列されたフレキシブル太陽電池アセンブリの間の直列ケーブル、及び複数の前記巻取式フレキシブル封止アセンブリモジュールを並列接続するバスケーブルを含む。
【００２３】
例示的な一実施例において、前記封止布の表面に細管状収納用内ポケットは設置され、それは前記ケーブルを収納することに用いられる。
【００２４】
例示的な一実施例において、前記細管状収納用内ポケットは全体的なレイアウトが「Ｈ」型を呈し、中央横線部は前記横列されたフレキシブル太陽電池アセンブリの間の直列ケーブルを収納するように設置され、両側垂直部はバスケーブルを配置するように設置される。
【００２５】
例示的な一実施例において、前記巻取式フレキシブル封止アセンブリモジュールの２つ又は４つの端部に「Ｔ」型バス装置は設置され、前記「Ｔ」型バス装置はコネクタを備え、前記コネクタは２つの前記巻取式フレキシブル封止アセンブリモジュールの電気的並列接続を実現するように設置され、又は前記巻取式フレキシブル封止アセンブリモジュールと電気製品装置との電気的接続を実現するように設置される。
【００２６】
例示的な一実施例において、前記「Ｔ」型バス装置は３つのコネクタ及び前記３つのコネクタの間に接続される接続ケーブルを備え、前記３つのコネクタは３つの同じコネクタ端子を有し、電気上のスリーウェイを形成する。
【００２７】
本考案の実施例は更に巻取式フレキシブル太陽光発電ストリップを開示し、上記いずれか１つの実施例に記載の巻取式フレキシブル封止アセンブリモジュールを備え、前記巻取式フレキシブル封止アセンブリモジュール同士は電気的並列接続を形成する。
【００２８】
例示的な一実施例において、複数の前記巻取式フレキシブル封止アセンブリモジュールは一組のバスケーブルによって並列接続され、標準列を形成し、各組のバスケーブルは１つの最大電力追跡装置に接続されるように設置される。
【考案の効果】
【００２９】
本考案の実施例は巻取式フレキシブル封止アセンブリモジュールを開示し、巻取式フレキシブル封止アセンブリモジュール構造の設計によって、複数の巻取式フレキシブル封止アセンブリモジュールの機械的接続及び電気的接続に利便性をもたらし、巻取式フレキシブル太陽光発電ストリップを形成することができ、主にローラにおける巻取式フレキシブル太陽光発電ストリップコンポーネントに適用され、理論的に無限に延長して、巻き付けることができ、スペースを節約する。該巻取式フレキシブル封止アセンブリモジュールは構造が簡単で、巻き付けやすく、必要に応じてブロック数を選択して巻取式フレキシブル太陽光発電ストリップに組み立てて発電することができる。
【００３０】
図面及び詳細な説明を精読及び理解してから、他の態様を理解できる。
【図面の簡単な説明】
【００３１】
【図１】図１は本考案の一実施例に係る巻取式フレキシブル封止アセンブリモジュールの構造模式図である。
【図１ａ】図１ａは図１に示す巻取式フレキシブル封止アセンブリモジュールの俯瞰構造の断面模式図であり、断面線が図示されていない。
【図１ｂ】図１ｂは図１に示す巻取式フレキシブル封止アセンブリモジュールの左視構造の断面模式図であり、断面線が図示されていない。
【図２】図２は本考案の一実施例に係る２つの巻取式フレキシブル封止アセンブリモジュールを接続した後の構造模式図である。
【図３】図３は図２におけるＡ部の拡大構造模式図である。
【図４】図４は本考案の一実施例に係る巻取式フレキシブル封止アセンブリモジュールのケーブル及び「Ｔ」型バス装置の構造模式図である。
【図５】図５は本考案の一実施例に係る「Ｔ」型バス装置及びケーブルを接続する構造模式図である。
【図６】図６は本考案の一実施例に係る太陽光発電牽引式車体の構造模式図である。
【図７】図７は本考案の一実施例に係る太陽光発電牽引式車体の回路構造模式図である。
【考案を実施するための形態】
【００３２】
以下、図面を参照しながら実施例によって本考案を更に説明する。
【００３３】
巻取式フレキシブル封止アセンブリモジュールは複数枚の太陽電池アセンブリを１枚の耐摩耗性裏地に貼り付けてなり、前記耐摩耗性裏地は縁部を折り返して包み効果をもたらし、シーラントでアセンブリの４つの辺を包み、太陽電池アセンブリの数は２〜１２枚であり、好ましくは６枚であり、
巻取式フレキシブル太陽光発電ストリップ４は複数の巻取式フレキシブル封止アセンブリモジュール８で構成され、巻取式フレキシブル封止アセンブリモジュールは封止布９、ケーブル、フレキシブル太陽電池アセンブリ１０で構成され、アセンブリモジュールの数は２〜１０個であり、好ましくは６つであり、
封止布の表面に細管状収納用内ポケット１１が設置され、それはケーブルを収納することに用いられ、前記細管状収納用内ポケットは全体的なレイアウトが「Ｈ」型を呈し、中央横線部は横列アセンブリの直列接続に用いられ、図４に示すように、３つの横列アセンブリは水平直列ケーブル１５によってアセンブリアウトレットボックス１４を直列接続し、両側垂直部はバスケーブルハーネス１６の配置に用いられ、前記巻取式フレキシブル封止アセンブリモジュールの４つの端部に「Ｔ」型バス装置１７が設計されて接続ポート１８が予め準備して、接続ポート１８は２つの巻取式フレキシブル封止アセンブリモジュールの電気的並列接続又は巻取式フレキシブル封止アセンブリモジュールとローラ内部の電気製品装置との電気的接続に用いられる。導線は外縁に沿って配線される設計によって巻軸の厚さを減少させることができると同時に、巻軸の垂直機械的強度を向上させることもできる。
【００３４】
封止布の表面の縁部に細管状収納用内ポケットが設計され、それはケーブルの配線及び接続に用いることができ、収納用内ポケットがアセンブリの後部と裏地との間に設置される。
【００３５】
図５に示すように、「Ｔ」型バス装置１７はケーブル１９及びコネクタ１３で構成され、３つの同じコネクタ端子を有し、電気上のスリーウェイ機能を形成し、コネクタは防水シールを用いる。
【００３６】
巻取式フレキシブル封止アセンブリモジュールはモジュール化設計を用いて、先端と末端との接続によって、並列接続を実現し、電気容量の増加効果を実現することができる。
【００３７】
複数の巻取式フレキシブル封止アセンブリモジュールは並列接続されて標準列を形成し、一組のバスケーブルを利用し、それが標準列数の数量と同じであり、各組のバスケーブルは最大電力追跡装置に接続され、各組のバスケーブルは一本の正極ケーブルと一本の負極ケーブルを含む。各標準列はいずれも１つのＭＰＰＴ装置に対応し、このような設計によって標準列の最適な独立した発電制御を確保し、一部が破損、遮蔽されて、引き出されていなくても、正常の標準列は依然として最大効果で発電できる。
【００３８】
太陽光発電牽引式車体は展延可能な牽引車体１、巻取式フレキシブル封止太陽光発電装置２及び発電回路装置３を備え、  
前記巻取式フレキシブル封止太陽光発電装置２は展延可能な牽引車体１内に設置され、巻取機械装置及び巻取式フレキシブル太陽光発電ストリップ４を備え、前記巻取式フレキシブル太陽光発電ストリップは巻取機械装置に巻き付けられ、  
前記発電回路装置は巻取式フレキシブル太陽光発電ストリップに接続される。
【００３９】
パネルはローラの側面中心位置に設置され、パネルに入出力ポートが設置されて、パネル回路に接続される。
【００４０】
牽引式車体本体は牽引車体１であり、牽引フック５で車両に接続され、牽引移動する。
【００４１】
牽引フックに電源インタフェース回路６が設計され、内部のエネルギーを車両に供給して使用する。
【００４２】
牽引式車体の立面は開閉可能な側板を用いて、水平に展延して固定することができる。
【００４３】
牽引式車体の上面は開閉可能な頂板７を用いて、それを開けて角度を調整することができ、それを開けてから内部の装置を操作することができる。
【００４４】
牽引室の正面に機能パネルが設計され、データディスプレイ、機能スイッチ及びエネルギーインタフェースを備える。
【００４５】
前記巻取機械装置はローラ、ロッカーアーム及びアシストモータ８を備え、
前記ローラは巻取式封止アセンブリの巻き付け収納に用いられ、ローラの両端にフランジが設計され、アセンブリの位置制限に用いられ、前記ロッカーアームは収納可能なロッカーアームであり、ローラを回転することに用いられ、アシストモータはローラと連動し、電力でローラを回転し、前記ローラの直径は５００ｍｍである。
【００４６】
更に、各巻取式フレキシブル封止アセンブリモジュールにおける封止布の両端に複数のほぞ穴１１、バックル１２が設置され、それらは固定、切地同士の機械的接続に用いられ、封止布の両端に切地と等幅の細長い棒状の硬質材料が設置され、それは切地を横切って、切地の支持に用いられ、切地が使用中に変形することを防止し、巻軸の水平機械的強度を向上させることができる。
【００４７】
モジュール同士はコネクタ１３によって挿着されて発電回路に並列接続され、２つのモジュールはリベットバックル１１でラッピイングされ及び面ファスナー１２で接着接続される。
【００４８】
前記牽引式車体は更に貼り付け式フレキシブル太陽電池アセンブリ装置を備え、それはエネルギー貯蔵室の頂部及び側立面に直接実装され、３つの標準列を構成し、前記貼り付け式フレキシブル太陽電池アセンブリ装置はＥＴＦＥフレキシブル封止設計を用いたフレキシブル太陽電池アセンブリであり、牽引車の開閉可能な頂部及び立面側板に直接実装され、カバープレート配線ダクトが設計される。
【００４９】
ローラの内部に発電回路装置が設置され、前記巻取機械装置の内部に電気システムが設置され、電気システムは最大電力追跡装置、直流電源、充電回路、交流電源、電池及びパネル回路を備え、各組のバスケーブルは最大電力追跡装置に接続され、次に直流電源を通してからそれぞれ電池及び／又は交流電源に接続され、最終的にパネル回路に接続され、前記直流電源と交流電源との間にインバータが接続される。
【００５０】
各最大電力追跡装置ＭＰＰＴの電力は１２００Ｗであってもよく、
前記直流電源は、変動する太陽光発電を安定する直流電源に転換し、電池を充電し、外部直流電気製品を動かして、及びインバータに給電し動作させることに用いられ、直流電源は５Ｖ、１２Ｖ、２４Ｖの複数の電圧レベルの直流電流を出力することができ、電力は１０００Ｗであってもよく、
前記交流電源にインバータが付けられ、それは直流電源又は電池からの直流電流をインバータによって１１０Ｖ又は２２０Ｖの交流電源に転換して外部交流電気製品に供給して使用することに用いられ、電力は１２００Ｗであってもよく、
電池はエネルギーの蓄積に用いられ、リチウム電池を利用してもよく、蓄積エネルギーは２０００Ｗｈであってもよく、
充電回路は、交流電流を電池への充電に使用できるように転換し、外部に日光がなく又は太陽光発電を利用しない時、外部から接続される交流電流を利用して電池を充電し、
パネル回路は保護回路及びパネルを備え、保護回路はヒューズを利用して出力電源を保護し、短絡を防止し、パネルは交流コンセント、直流コンセント、ＵＳＢコンセント、充電インタフェースで構成される。
【００５１】
詳細な説明
【００５２】
図１に示すように、本出願の実施例は巻取式フレキシブル封止アセンブリモジュールを提供し、フレキシブル太陽電池アセンブリ及び封止布を備え、複数枚のフレキシブル太陽電池アセンブリは１枚の封止布に貼り付けられ、前記封止布は縁部を折り返して包み効果をもたらし（図１〜図１ｂ参照）、シーラントでフレキシブル太陽電池アセンブリの４つの辺を包み、フレキシブル太陽電池アセンブリの数が２枚〜１２枚であり、６枚として設置してもよく、該複数枚のフレキシブル太陽電池アセンブリはケーブルによって直列接続される。
【００５３】
図２及び図３に示すように、本考案の実施例は更に巻取式フレキシブル太陽光発電ストリップ４を提供し、複数の巻取式フレキシブル封止アセンブリモジュール８を備える。図１に示すように、巻取式フレキシブル封止アセンブリモジュール８は封止布９、ケーブル及びフレキシブル太陽電池アセンブリ１０を備え、フレキシブル太陽電池アセンブリモジュールの数は２〜１０個であり、６つを設置してもよい。
【００５４】
封止布９の表面に細管状収納用内ポケットが設置され、それはケーブルを収納するように設置され、ケーブルは直列ケーブル１５及びバスケーブル１６を含む。バスケーブル１６は封止布の外縁に沿って配線される。前記細管状収納用内ポケットは全体的なレイアウトが「Ｈ」型を呈し、図１に示すように、細管状収納用内ポケットの中央横線部は横列されたフレキシブル太陽電池アセンブリの間の直列ケーブル１５を収納するように設置され、図１及び図４に示すように、３つの横列されたフレキシブル太陽電池アセンブリ１０は水平の直列ケーブル１５によって３つのフレキシブル太陽電池アセンブリ１０のアウトレットボックス１４を直列接続し、細管状収納用内ポケットの両側の垂直部はバスケーブル１６を配置するように設置され、前記巻取式フレキシブル封止アセンブリモジュールの２つの端部（図４参照）又は４つの端部に「Ｔ」型バス装置１７が設計されて接続ポート１８が予め準備して、接続ポート１８は２つの巻取式フレキシブル封止アセンブリモジュールの電気的並列接続を実現するように設置される。導線が外縁に沿って配線される設計によって、巻取式フレキシブル封止アセンブリモジュール８の厚さを減少させることができると同時に、巻取式フレキシブル封止アセンブリモジュール８の垂直機械的強度を向上させることもできる。
【００５５】
封止布の表面の縁部に細管状収納用内ポケットが設計され、ケーブルの配線用及び接続用に設置されてもよく、細管状収納用内ポケットはフレキシブル太陽電池アセンブリの後部と封止布との間に設置される。
【００５６】
図４及び図５に示すように、「Ｔ」型バス装置１７は接続ケーブル１９及び３つのコネクタ１３を備え、３つのコネクタ１３は３つの同じコネクタ端子を形成し、電気上のスリーウェイ機能を形成し、コネクタ１３は防水シールを用いる。
【００５７】
接続ケーブルは「Ｔ」形状を呈し、コネクタ端子で形成されたインタフェースは接続ポート１８である。
【００５８】
３つのコネクタ１３は接続ケーブル１９の３つの端部に接続され、ケーブルの水平直列ケーブル１５の一端及びバスケーブル１６は１つの「Ｔ」型バス装置１７における２つのコネクタ１３によって電気的に接続され、該「Ｔ」型バス装置１７における別のコネクタ１３は、２つの巻取式フレキシブル封止アセンブリモジュール８が並列接続される時に接続することに用いることができる。
【００５９】
巻取式フレキシブル封止アセンブリモジュールはモジュール化設計を用いて、隣接する巻取式フレキシブル封止アセンブリモジュール予め準備したコネクタ１３によって接続され、バスケーブルによって並列接続しコンフルエンスを実現し、電気容量の増加効果を実現することができる。
【００６０】
複数の巻取式フレキシブル封止アセンブリモジュールは一組のバスケーブルによって並列接続されて標準列を形成し、バスケーブルは標準列数の数量と同じであり、各組のバスケーブルは１つのＭＰＰＴ最大電力追跡装置に接続され、各組のバスケーブルは一本の正極ケーブルと一本の負極ケーブルを含む。各標準列はいずれも１つのＭＰＰＴ最大電力追跡装置に対応し（図７参照）、このような設計は、標準列の最適な独立した発電制御を確保し、一部が破損、遮蔽されて、引き出されていなくても、正常の標準列は依然として最大効果で発電できる。
【００６１】
図６に示すように、本出願の実施例は更に太陽光発電牽引式車体を提供し、展延可能な牽引車体１、巻取式フレキシブル封止太陽光発電装置２及び電気システム３を備え、  
前記巻取式フレキシブル封止太陽光発電装置２は展延可能な牽引車体１内に設置され、巻取式フレキシブル封止太陽光発電装置２は巻取機械装置及び巻取式フレキシブル太陽光発電ストリップ４を備え、巻取式フレキシブル太陽光発電ストリップ４は巻取機械装置に巻き付けられるように設置される。
【００６２】
巻取機械装置はローラを備え、ローラの内部に電気システム３が設置され、ローラの側面にパネルが設置される。  
【００６３】
前記電気システム３は巻取式フレキシブル太陽光発電ストリップ４に電気的に接続される。
【００６４】
前記パネルはローラの側面中心位置に設置され、パネルに入出力ポートが設置され、ローラはパネル回路に接続される。
【００６５】
牽引車体１は牽引フック５で車両に接続され、牽引車体１を牽引移動するように設置される。
【００６６】
牽引フック５に電源インタフェース回路６が設計され、電源インタフェース回路６は牽引車体１内のエネルギーを車両に供給して使用するように設置される。
【００６７】
牽引車体１の立面は開閉可能な側板を用いて、水平に展延して固定することができる。
【００６８】
牽引車体１の上面は開閉可能な頂板７を用いて、それを開けて角度を調整することができ、それを開けてから牽引車体１内の装置を操作することができる。
【００６９】
牽引車体１の正面に機能パネルが設計され、機能パネルはデータディスプレイ、機能スイッチ及びエネルギーインタフェースを備える。
【００７０】
車両に給電するエネルギーインタフェースは電源インタフェース回路６に位置し、機能パネルは牽引フック５に位置する。
【００７１】
ローラ以外に、前記巻取機械装置は更にロッカーアーム及びアシストモータ８を備え、
前記ローラは巻取式フレキシブル太陽光発電ストリップ４の巻き付け収納用に設置され、ローラの両端にフランジが設計され、巻取式フレキシブル太陽光発電ストリップ４を位置制限するように設置され、前記ロッカーアームは収納可能なロッカーアームであり、ロッカーアームはローラを回転するように設置され、アシストモータ８はローラと連動するように設置され、電力でローラを回転し、前記ローラの直径は５００ｍｍである。
【００７２】
ローラの直径を５５０ｍｍ以下に設計してもよい。更に、各巻取式フレキシブル封止アセンブリモジュールにおける封止布の両端に複数のほぞ穴１１、バックル１２が設置され、ほぞ穴１１、バックル１２は巻取式フレキシブル太陽光発電ストリップ４と隣接する封止布との機械的接続を固定するように設置され、封止布の両端に封止布と等幅の細長い棒状の硬質材料が設置され、それは封止布を横切って、封止布を支持するように設置され、封止布が使用中に変形することを防止し、巻取式フレキシブル太陽光発電ストリップ４の水平機械的強度を向上させることができる。
【００７３】
ほぞ穴１１は複数あり、隣接する巻取式フレキシブル封止アセンブリモジュールにラッピイングされるように設置され、バックル１２は２つの巻取式フレキシブル封止アセンブリモジュールを接着接続するように設置され、硬質材料は封止布と等幅であり、細長い棒状を呈し、封止布の両端に設置され、封止布を横切る。
【００７４】
図４及び図５に示すように、隣接する巻取式フレキシブル封止アセンブリモジュール同士はコネクタ１３によって挿着されて発電回路に並列接続され、隣接する２つの巻取式フレキシブル封止アセンブリモジュール同士はほぞ穴１１を通してラッピイングされ及び面ファスナー１２で接着接続される。
【００７５】
前記太陽光発電牽引式車体は更に貼り付け式フレキシブル太陽電池アセンブリ装置を備え、それは牽引車体１の頂部及び側立面に直接実装され、３つの標準列を構成し、前記貼り付け式フレキシブル太陽電池アセンブリ装置はＥＴＦＥフレキシブル封止設計を用いたフレキシブル太陽電池アセンブリであり、牽引車体１の開閉可能な頂部及び立面側板に直接実装され、頂部及び立面側板にカバープレート配線ダクトが設計される。
【００７６】
貼り付け式フレキシブル太陽電池アセンブリ装置は３つの最大電力追跡装置によって直流電源に接続される。ＥＴＦＥはエチレン−テトラフルオロエチレン共重合体である。側立面は立面側板に位置する。
【００７７】
前記巻取機械装置の内部に電気システムが設置され、図７に示すように、電気システムは最大電力追跡装置、直流電源、充電回路、交流電源、電池及びパネル回路を備え、各組のバスケーブルは１つの最大電力追跡装置に接続され、次に直流電源を通してから電池及び交流電源のうちのいずれか１つ又は２つに接続され、最終的にパネル回路に接続され、前記直流電源と交流電源との間にインバータが接続される。
【００７８】
各最大電力追跡装置ＭＰＰＴの電力は１２００Ｗであってもよく、
前記直流電源は、変動する太陽光発電を安定する直流電源に転換し、電池を充電し、外部直流電気製品を動かして、及びインバータに給電し動作させるように設置され、直流電源は５Ｖ、１２Ｖ、２４Ｖの複数の電圧レベルの直流電流を出力することができ、電力は１０００Ｗであってもよく、
前記交流電源にインバータが付けられ、交流電源は直流電源又は電池からの直流電流をインバータによって１１０Ｖ又は２２０Ｖの交流電源に転換して外部交流電気製品に供給して使用するように設置され、電力は１２００Ｗであってもよく、
電池はエネルギーを蓄積するように設置され、リチウム電池を利用してもよく、蓄積エネルギーは２０００Ｗｈであってもよく、
充電回路は外部に日光がなく又は太陽光発電を利用しない時、外部から接続される交流電流を利用して電池を充電し、
パネル回路は保護回路を備え、保護回路はヒューズを利用して出力電源を保護し、短絡を防止し、パネルは交流コンセント、直流コンセント、ＵＳＢコンセント及び充電インタフェースを備える。
【００７９】
パネルは保護回路に電気的に接続され、入出力ポートはパネルに位置し、入出力ポートは入力ポート及び出力ポートを含む。
【００８０】
例示的な一実施例において、入出力ポートは交流コンセント、直流コンセント、ＵＳＢコンセント及び充電インタフェースに位置し、交流コンセント、直流コンセント、ＵＳＢコンセントの差し込み口は出力ポートであり、充電インタフェースの差し込み口は入力ポートである。
【００８１】
パネル、パネル回路、保護回路、入出力ポート、機能パネル、電気システム、電源インタフェース回路及びエネルギーインタフェースの関係は以下のとおりである。
【００８２】
パネル回路は保護回路を備え、パネルに入出力ポートが設置され、
機能パネルはエネルギー貯蔵室の正面に設置され、電源インタフェース回路（車両に給電するエネルギーインタフェースは電源インタフェース回路に位置する）、エネルギースイッチ及びデータディスプレイ（すなわち、図７におけるディスプレイ）を備え、機能パネルは電気システムから独立する。
【００８３】
バス装置、コネクタ、接続ポート、コネクタ端子の関係は以下のとおりである。
【００８４】
バス装置は３つのコネクタを備え、コネクタはコネクタ端子を備え、コネクタ端子に形成されたインタフェースは接続ポートであり、ケーブルの一端にコネクタを設置してもよい（図５参照）。
【００８５】
ＭＰＰＴは最大電力追跡装置である。
【００８６】
図７において、２つの立面アセンブリ及び上面アセンブリはいずれも貼り付け式フレキシブル太陽電池アセンブリ装置である。３つの貼り付け式フレキシブル太陽電池アセンブリ装置は３つの最大電力追跡装置によって直流電源に接続される。３つの巻取式フレキシブルモジュールは３つの標準列である。
【００８７】
以上の実施例は本考案を具体的に説明するためのものであり、本考案の保護範囲を制限するためのものではなく、本考案の保護範囲は特許請求に準じる。本分野の公知技術及び本考案に開示される技術的解決手段に基づき、多くの変形案を導出又は連想することができ、これらの変形案はすべて本考案の保護範囲に含まれると見なされる。
【図１】
0003218632.tif 000003
【図１ａ】
0003218632.tif 000004
【図１ｂ】
0003218632.tif 000005
【図２】
0003218632.tif 000006
【図３】
0003218632.tif 000007
【図４】
0003218632.tif 000008
【図５】
0003218632.tif 000009
【図６】
0003218632.tif 000010
【図７】
0003218632.tif 000011
【手続補正書】
【提出日】平成30年8月29日(2018.8.29)
【手続補正１】
【補正対象書類名】実用新案登録請求の範囲
【補正対象項目名】全文
【補正方法】変更
【補正の内容】
【実用新案登録請求の範囲】
【請求項１】
巻取式フレキシブル封止アセンブリモジュールであって、
封止布、ケーブル及びフレキシブル太陽電池アセンブリを備え、２枚以上のフレキシブル太陽電池アセンブリは１枚の封止布に貼り付けられ、前記フレキシブル太陽電池アセンブリを直列接続することを特徴とする巻取式フレキシブル封止アセンブリモジュール。
【請求項２】
封止布の表面に細管状収納用内ポケットが設置され、それはケーブルを収納することに用いられ、前記細管状収納用内ポケットは全体的なレイアウトが「Ｈ」型を呈し、中央横線部は１つの横列アセンブリの直列接続に用いられ、両側垂直部はバスケーブルハーネスの配置に用いられ、前記巻取式フレキシブル封止アセンブリモジュールの４つの端部に「Ｔ」型バス装置が設計されて接続ポートが予め準備され、接続ポートは２つの巻取式フレキシブル封止アセンブリモジュールの電気的並列接続又は巻取式フレキシブル封止アセンブリモジュールとローラ内部の電気製品装置との電気的接続に用いられることを特徴とする請求項１に記載の巻取式フレキシブル封止アセンブリモジュール。
【請求項３】
「Ｔ」型バス装置はケーブル及びコネクタで構成され、３つの同じコネクタ端子を有し、電気上のスリーウェイ機能を形成し、コネクタは防水シールを用いることを特徴とする請求項１に記載の巻取式フレキシブル封止アセンブリモジュール。
【請求項４】
前記貼り付けはＥＶＡ／ＰＯＥ／ＰＶＢ等の角膜材料で貼り付け、前記封止布の縁部を折り返して包み効果をもたらし、シーラントでアセンブリの４つの辺を包み、前記封止布は耐摩耗性裏地であることを特徴とする請求項１に記載の巻取式フレキシブル封止アセンブリモジュール。
【請求項５】
巻取式フレキシブル封止アセンブリモジュールにおける封止布の両端に複数のほぞ穴、係止口が設置され、それらは固定、懸架又は複数の切地同士の機械的接続に用いられ、封止布の両端に切地と等幅の細長い棒状の硬質材料が設置され、それは切地を横切って、切地の支持に用いられ、切地が使用中に変形することを防止することを特徴とする請求項１に記載の巻取式フレキシブル封止アセンブリモジュール。
【請求項６】
巻取式フレキシブル太陽光発電ストリップであって、
１つ又は２つ以上の請求項１〜５のいずれか一項に記載の巻取式フレキシブル封止アセンブリモジュールを並列接続してなることを特徴とする巻取式フレキシブル太陽光発電ストリップ。
【請求項７】
複数の巻取式フレキシブル封止アセンブリモジュールは並列接続されて標準列を形成し、一組のバスケーブルを利用し、バスケーブルは標準列数の数量と同じであることを特徴とする請求項６に記載の巻取式フレキシブル太陽光発電ストリップ。
【請求項８】
ローラの直径は５５０ｍｍ以下であることを特徴とする請求項６に記載の巻取式フレキシブル太陽光発電ストリップ。
【請求項９】
巻取式フレキシブル封止アセンブリモジュールであって、
封止布、ケーブル及び２枚以上のフレキシブル太陽電池アセンブリを備え、前記２枚以上のフレキシブル太陽電池アセンブリは封止布に貼り付けられ、前記ケーブルは前記フレキシブル太陽電池アセンブリに電気的に接続される巻取式フレキシブル封止アセンブリモジュール。
【請求項１０】
前記２枚以上のフレキシブル太陽電池アセンブリは１枚の前記封止布に貼り付けられて、前記ケーブルによって直列接続される請求項９に記載の巻取式フレキシブル封止アセンブリモジュール。
【請求項１１】
前記封止布は縁部を折り返して包み効果をもたらし、前記フレキシブル太陽電池アセンブリの４つの辺はシーラントで包まれている請求項９又は１０に記載の巻取式フレキシブル封止アセンブリモジュール。
【請求項１２】
前記封止布は耐摩耗性裏地である請求項９〜１１のいずれか一項に記載の巻取式フレキシブル封止アセンブリモジュール。
【請求項１３】
前記封止布の両端にほぞ穴、バックル及び硬質材料のうちの一種又は複数種は設置される請求項求９〜１２のいずれか一項に記載の巻取式フレキシブル封止アセンブリモジュール。
【請求項１４】
前記ほぞ穴は複数あり、隣接する巻取式フレキシブル封止アセンブリモジュールにラッピイングされるように設置され、前記バックルは２つの前記巻取式フレキシブル封止アセンブリモジュールを接着接続するように設置され、前記硬質材料は前記封止布と等幅であり、細長い棒状を呈し、前記封止布の両端に設置され、前記封止布を横切る請求項１３に記載の巻取式フレキシブル封止アセンブリモジュール。
【請求項１５】
前記２枚以上のフレキシブル太陽電池アセンブリは前記封止布に横列され、前記ケーブルは前記横列されたフレキシブル太陽電池アセンブリの間の直列ケーブル、及び複数の前記巻取式フレキシブル封止アセンブリモジュールを並列接続するバスケーブルを含む請求項９〜１４のいずれか一項に記載の巻取式フレキシブル封止アセンブリモジュール。
【請求項１６】
前記封止布の表面に細管状収納用内ポケットは設置され、細管状収納用内ポケットは前記ケーブルを収納することに用いられる請求項９〜１５のいずれか一項に記載の巻取式フレキシブル封止アセンブリモジュール。
【請求項１７】
前記細管状収納用内ポケットは全体的なレイアウトが「Ｈ」型を呈し、中央横線部は前記横列されたフレキシブル太陽電池アセンブリの間の直列ケーブルを収納するように設置され、両側垂直部はバスケーブルを配置するように設置される請求項１６に記載の巻取式フレキシブル封止アセンブリモジュール。
【請求項１８】
前記巻取式フレキシブル封止アセンブリモジュールの２つ又は４つの端部に「Ｔ」型バス装置は設置され、前記「Ｔ」型バス装置はコネクタを備え、前記コネクタは２つの前記巻取式フレキシブル封止アセンブリモジュールの電気的並列接続を実現するように設置され、又は前記巻取式フレキシブル封止アセンブリモジュールと電気製品装置との電気的接続を実現するように設置される請求項９〜１７のいずれか一項に記載の巻取式フレキシブル封止アセンブリモジュール。
【請求項１９】
前記「Ｔ」型バス装置は３つのコネクタ及び前記３つのコネクタの間に接続される接続ケーブルを備え、前記３つのコネクタは３つの同じコネクタ端子を有し、電気上のスリーウェイを形成する請求項１８に記載の巻取式フレキシブル封止アセンブリモジュール。
【請求項２０】
巻取式フレキシブル太陽光発電ストリップであって、
複数の請求項９〜１９のいずれか一項に記載の巻取式フレキシブル封止アセンブリモジュールを備え、前記巻取式フレキシブル封止アセンブリモジュール同士は電気的並列接続を形成する巻取式フレキシブル太陽光発電ストリップ。
【請求項２１】
複数の前記巻取式フレキシブル封止アセンブリモジュールは一組のバスケーブルによって並列接続され、標準列を形成し、各組のバスケーブルは１つの最大電力追跡装置に接続されるように設置される請求項２０に記載の巻取式フレキシブル太陽光発電ストリップ。